(57)【特許請求の範囲】
【請求項１】
ゴルフで使用するグリーンフォークとボールピッカーに関するもので、本体（１）から吐出する弾性波線材（３）の形状により、グリーンフォーク機能とボールピッカー機能を切り替えて使うことができる構造とし、筒状収納部（５）内に設けた弾性波線材固定材（４）に、少なくとも３本以上の弾性波線材（３）の一端を固定し、固定しないもう片方の弾性波線材（３）の一端は、用途に応じて、本体（１）から吐出するようにし、その吐出する弾性波線材（３）の長さを自由に変えることができるようにしたことを特長とするグリーンフォーク兼ボールピッカー。
【発明の詳細な説明】
【技術分野】
【０００１】
ゴルフボールが落下してできたグリーン上の陥没穴の窪みを修復するフォークとカップインしたボールを取り出すためのピッカーであって、この２つの機能を一体化した用具に関するものである。それぞれの用途に応じて機能を果たすべく、本体より吐出する弾性波線材の長さの調整を可能としたことを特長とするグリーンフォーク兼ボールピッカー。          
【背景技術】
【０００２】
複数の線材や板材をグリーン面に突き刺しボールが落下してできたグリーン上の陥没穴の窪みを修復するフォークは、すでに公知となっている（特開平１１−２９９９４６）。また、ボール鋏持部を本体より出し入れすることができるボールピッカーについても同様に公知となっている（実全平０４−０３７４６６）、実全昭６３−１８２７７７、特公昭４５−０１２３３０、実全昭６３−１２０６７１）などである。しかしながら、本発明が開示するグリーンフォーク兼ボールピッカーは、グリーン面を掘り起こすフォーク部分とボールを挟持有するピッカーの２つの機能を一体化して、兼用を可能としたことと、これを可能にするために用途に応じて本体より吐出する弾性波線材部分の長さを調節する機能を設けて、フォークとピッカーを使い分ける構造としたことが先行技術との大きな相違点である。
【先行技術文献】
【特許文献】
【０００３】
【特許文献１】特開平１１−２９９９４６
【特許文献２】実全平０４−０３７４６６
【特許文献３】実全昭６３−１８２７７７
【特許文献４】特公昭４５−０１２３３０
【特許文献５】実全昭６３−１２０６７１
【発明の概要】
【発明が解決しようとする課題】
【０００４】
一般的にゴルフボールの落下でできたグリーン上の陥没穴の窪みを修復するにはグリーンフォークを使用するが、一般的に用いるグリーンフォークは、陥没した穴の廻りの土を複数回掘り起こして修復する必要があり手間が掛かるため、修復しないプレーヤーがいたりして問題となっている。
また、カップインしたボールを取り出す時は、素手かボールピッカーを使用するが、近年カップに旗の棒を立てた状態でのパッティングプレーが可能となり、
旗の棒を抜かないでボールを取り出すケースが多くなっている。
この様な状況のなかで、素手でボールを取り出す場合カップの淵と旗の棒の狭い部分に落ちたボールを取り出すには、指と指の間でボールを挟み慎重に取り出す必要がる。しかし、この時カップ廻りのグリーンの淵に誤って手が当たり芝を損壊させることがあり、問題となっている。旗の棒を抜かないでスムーズにボールを取り出すには、ボールピッカーが必要となる。
【０００５】
従来用途に応じてグリーンフォークとボールピッカーの２つの道具をプレー中に携帯して使用する必要があり面倒で手間が掛かるため２つの機能を兼ね備えたグリーンフォーク兼ボールピッカーが望まれている。
さらに、繊細なタッチを必要とするパッティングでは、パター本体のバランスが重要な要素となっている状況において、先行技術文献（特公昭４５−０１２３３０）で公知する鋏持具は、ボール鋏持部を収納する部分がパターのグリップ内部となっておりパターのバランスを悪くする要因となっている。そこで本発明は、パターグリップに装着して使用することもできるが、基本的な使い方は分離しての使用としている。勿論常にパターグリップに装着して使用することを拒むものではない。
【課題を解決するための手段】
【０００６】
本体（１）から吐出する弾性波線材（３）の形状により、グリーンフォーク機能とボールピッカー機能を切り替えて使うことができる構造とし、筒状収納部（５）内に設けた弾性波線材固定材（４）に弾性波線材（３）の一端を少なくとも３本以上を固定し、固定しないもう片方の弾性波線材の一端は、用途に応じて、本体（１）から吐出するようにし、その吐出する弾性波線材（３）の長さを自由に変えることができるようにする。
【発明の効果】
【０００７】
従来グリーンフォークとボールピッカーをそれぞれ携帯し用途により都度取り換えて使う必要があったが、本発明のグリーンフォーク兼ボールピッカーは、本体１つで２つの機能を有しているため簡単に使い分けができる。これにより持使用時の手間が省け利便性が向上する。さらに、パターに取り付けて使用することで、深く腰を落とす必要がなく腰への負荷が軽減できる。
【図面の簡単な説明】
【０００８】
【図１】本発明に係るボールピッカーでの使用状態を示す断面図
【図２】本発明に係るグリーンフォークでの使用状態を示す断面図
【図３】本発明に係るボールピッカー兼グリーンフォーク収納状態を示す断面図
【図４】本発明に係る全体と操作レバー、スライド溝、固定用フック、弾性波線材を示す外観図
【発明を実施するための形態】
【０００９】    図１〜図４では、本発明に係るグリーンフォーク兼ボールピッカーの実施例を示しているが、具体的に説明すると、
図１ではボールピッカーの状態を示している。弾性波線材は、本体より吐出すると、その弾性力で予め加工されたボールピッカー状態に形を変えて、先端部をゴルフボール押し付けることでゴルフボールを簡単確実に鋏持し取り出すことができる。
図２はグリーンフォークでの使用状態を示している。本体より２〜３ｃｍ弾性波型線材が吐出する状態にすると、弾性波型線材が直線に近い状態となるため、押し込む力が効果的にグリーン面に加わり、突き刺すことができる。次に突き刺した弾性波線材は、直線的に抜き取っても弾性波線素材の効果で芝や土を掘り起こすことができるが、さらに効果を上げるためには、突き刺した状態から少し回動させながら抜き取る方法をとるとグリーンの芝や土が絡み、芝や土を効率よく掘り起こすことができる。結果として簡単に陥没穴を修復することができる。
図３は、未使用時の状態をしめしている。弾性波線材の先が身体に触れて、危険とならないように、使わないで携帯する時は収納状態にしておく必要があり、収納状態にすることで身体への危険性を防ぐことができる。
図４は、本体から弾性波線材を吐出させる長さの調整方法を示している。弾性波線材固定材をスライドさせる溝と操作レバーの組合せとなっている。これにより確実に用途に応じた吐出長さを確保することができ仕組みとなっている。
具体的には、本体（１）の筒状収納部（５）内にグリーンフォークとボールピッカーを兼用する少なくとも３本以上の弾性波線材（３）を、弾性波線材固定材（４）に固定し、弾性波線材固定材（４）に設けてある操作レバー（７）をスライド溝（８）に沿って移動できる構造とし、（収納、グリーンフォーク、ボールピッカー）の用途に応じて固定用フック（９ａ，９ｂ，９ｃ）の位置に固定することで弾性波線材（３）の本体（１）から吐出する長さの調節を可能とする。
その他、弾性波線材を本体の一端に固定状態にしておき、本体外側のグリップカバーを移動させて、弾性波線材の形状を用途にあわせて変える方法もある。
【符号の説明】
【００１０】
１  本体
２  ゴルフボール
３  弾性波線材
４  弾性波線材固定材
５  筒状収納部
６  グリップカバー
７  操作レバー
８  スライド溝
９ａ固定用フック  
９ｂ固定用フック
９ｃ固定用フック
【要約】
【課題】ゴルフボールの落下でできたグリーン上の陥没穴の窪みを修復するにはグルーンフォークを使用する。また、カップインしたボールを取り出す時は、素手で取り出すかボールピッカーを使用する。用途に応じて２つの道具をプレー中に携帯して使用する必要があり面倒で手間が掛かる。本発明は、２つの機能を兼ね備えたグルーンフォーク兼ボールピッカーを提供する。
【解決手段】本体（１）から吐出する弾性波線材（３）の形状により、グリーンフォーク機能とボールピッカー機能を切り替えて使うことができる構造とし、筒状収納部（５）内に設けた弾性波線材固定材（４）に弾性波線材（３）の一端を少なくとも３本以上を固定し、固定しないもう片方の弾性波線材の一端は、用途に応じて、本体（１）から吐出するようにし、その吐出する弾性波線材（３）の長さを自由に変えることができるようにする。
【選択図】図１【図１】
0006808863.tif 000002
【図２】
0006808863.tif 000003
【図３】
0006808863.tif 000004
【図４】
0006808863.tif 000005